(57)【要約】  【課題】  温泉地や公衆浴場において、入浴者に高級感を伴った入浴や楽しい感じを抱かせるとともに、普段とは異なる変わった風呂に入りたいという入浴者の要望に答える入浴用身体浮揚保持具及び浴槽を提供する。  【解決手段】  少なくとも背中を支える背中域支え部４５と、主に足を支える足支え部４６と、前記背中域支え部４５と前記足支え部４６の両方と交差するとともに略水平に保持された略水平支え部４７と、全体の浮力を調整する機能を有するとともに着脱自在の浮き部材を収容する収容部１８を備え、前記収容部１８を頭部側浮き部３と足側浮き部４の両方にそれぞれ設けたことを特徴とする。【選択図】  図１
0003190521.tif 000002
【実用新案登録請求の範囲】
【請求項１】
少なくとも背中を支える背中域支え部と、主に足を支える足支え部と、前記背中域支え部と前記足支え部の両方と交差するとともに略水平に保持された略水平支え部と、
全体の浮力を調整する機能を有するとともに着脱自在の浮き部材を収容する収容部を備え、
前記収容部を頭部側浮き部と足側浮き部の両方に設けたことを特徴とする入浴用身体浮揚保持具。
【請求項２】
請求項１に記載の入浴用身体浮揚保持具において、前記収容部を湯面に対して開口部を下側に備えた下側開口凹部で構成し、前記下側開口凹部内に前記浮き部材を前記開口部側から収容して全体の浮力を調整するように構成した入浴用身体浮揚保持具。
【請求項３】
少なくとも背中を支える背中域支え部と、主に足を支える足支え部と、前記背中域支え部と前記足支え部の両方と交差するとともに略水平に保持された略水平支え部とを備え、
前記略水平支え部の位置から見て前記背中域支え部と前記足支え部は下側から上側に行くに従って末広がりになるように配設され、
全体の浮力を調整する機能を有するとともに浮き部材を収容する収容部を備え、
全体として入浴者を横たわった状態で浮かべる状態で保持する浮力を有していることを特徴とする入浴用身体浮揚保持具。
【請求項４】
請求項１〜請求項３のいずれか一つに記載の入浴用身体浮揚保持具において、少なくとも一部の表面側の材料が木材で構成されている入浴用身体浮揚保持具。
【請求項５】
請求項４に記載の入浴用身体浮揚保持具において、前記木材として檜を採用した入浴用身体浮揚保持具。
【請求項６】
請求項１〜請求項３のいずれか一つに記載の入浴用身体浮揚保持具において、前記入浴用身体浮揚保持具の上面側位置に前記入浴者の少なくとも下腹部を隠す遮蔽部材が設けられている入浴用身体浮揚保持具。
【請求項７】
請求項６に記載の入浴用身体浮揚保持具において、前記遮蔽部材が少なくとも前記入浴者の下腹部を隠す状態と、前記入浴者が乗り込みやすい退避状態とを選択自在にする移動型遮蔽部材で構成されている入浴用身体浮揚保持具。
【請求項８】
一人用浴槽毎に請求項１〜請求項７のいずれか一つに記載の前記各入浴用身体浮揚保持具を設けたことを特徴とする入浴用身体浮揚保持具用の浴槽。
【請求項９】
請求項１〜請求項７のいずれか一つに記載の前記各入浴用身体浮揚保持具が設けられる浴槽に気泡を放出する気泡放出装置を設けるとともに、前記入浴者の背中、腰部、足部の少なくとも一つが位置する箇所の各入浴用身体浮揚保持具に隙間を設け、前記隙間から前記気泡放出装置からの気泡が噴出するように構成したことを特徴とする入浴用身体浮揚保持具用の浴槽。
【考案の詳細な説明】
【技術分野】
【０００１】
本考案は、温泉地や公衆浴場などで使用される身体浮揚保持具とその身体浮揚保持具を使用する浴槽に関する。
【背景技術】
【０００２】
従来、身体浮揚保持具としては、赤ちゃんや子供用の発泡スチロール等の浮材を切りぬいて浮体を構成し、浮体の下部に足出し穴を設けたものがある（特許文献１）。
また、腰から肩までの部分、腰から膝までの部分と肩から頭部までの３部分で構成し、回転ヒンジで浮きボートを浴槽に固定する入浴補助浮きボードが提案されている（特許文献２）。
【先行技術文献】
【特許文献】
【０００３】
【特許文献１】実開平６−７１３９７
【特許文献２】実用新案登録第３１３６６８８
【考案の開示】
【考案が解決しようとする課題】
【０００４】
一方、特定の薬効を有する温泉に浸かり、慢性病の治療を行ったり、公衆浴場で湯に浸かって疲れを癒したり、心身共のリフレッシュ効果を得る人が多い。例えば、スーパー銭湯と呼ばれる公衆浴場や、日本各地の温泉地においては、源泉掛け流し風呂、露天風呂、バブル噴射風呂、水風呂、薬効風呂、サウナ風呂、足湯など多くの種類の風呂を設けて、入浴者のいろいろな風呂に入りたいという要望に応えて温泉地やスーパー銭湯などの価値を高め、多くの入浴者を得たいという要望がある。
【０００５】
しかし、上記従来技術をそのまま温泉地の風呂やスーパー銭湯のような大衆浴場に適用する場合には下記の課題があった。
まず、特許文献１（実開平６−７１３９７）に示した構成を適用した場合では、椅子形に温泉地の風呂に座る形で浮いて大人などが乗ることになる。この構成では湯船の深さがかなり深いものでないと大人を乗せて浮かぶことはできない。また、座る形ではリラックス効果も十分でない問題がある。さらに、子供のおもちゃのような発泡スチロールや樹脂に大人が乗ることは恥ずかしく、心理的な抵抗があるように思われ、現実に温泉地、スーパー銭湯などにそのまま採用するに難しい。
【０００６】
次いで、特許文献２（実用新案登録第３１３６６８８）に示した構成を適用した場合は回転ヒンジで浮きボートの基端を固定する構成なので、入浴者の微妙な動きに応じて上下左右に移動することが少なく、浮遊する感じが十分でない。また、足部分は浮きボートに保持されない構成なので、リラックス効果も十分でないと予想される。
さらに、温泉地、スーパー銭湯などにおいて寝る形を採用する場合、合成樹脂等で形成された浮きボートであれば、軽薄な感じがするとともに、風呂場の他人に下腹部が見える形で横たわることになり、恥ずかしいという理由で浮きボートに乗る人は少なくなるという課題もある。
【０００７】
本考案は上記課題に鑑みてなされたものであり、本考案の目的は上記課題を解決できる入浴用身体浮揚保持具を提供することにある。
【０００８】
具体的な目的の一例を示すと、以下の通りである。
（ａ）身長、体重の異なる入浴者でも湯船内でプカプカ漂うような感じになり、リラックスした状態で入浴できる入浴用身体浮揚保持具及び浴槽を提供する。
（ｂ）温泉地や公衆浴場において、入浴者に高級感を伴った入浴や楽しい感じを抱かせるとともに、普段とは異なる変わった風呂に入りたいという入浴者の要望に答えることができる入浴用身体浮揚保持具及び浴槽を提供する。
（ｃ）上記（ａ）（ｂ）の課題を達成しつつ、温泉地、公衆浴場などにおいて採用する場合に入浴者の下腹部が見られ恥ずかしいという課題を解決できる入浴用身体浮揚保持具及び浴槽を提供する。
なお、上記に記載した以外の考案の課題、その解決手段及びその効果は、後述する明細書内の記載において詳しく説明する。
【課題を解決するための手段】
【０００９】
本考案は多面的に表現できるが、例えば、代表的なものを挙げると、次のように構成したものである。なお、下記各考案において、各符号は後述する実施形態との対応関係を分かりやすくするために一例として示したものであり、本考案の各構成要素は、実施形態に記載した符号に係る構成に限定されないことは言うまでもない。
【００１０】
本考案の入浴用身体浮揚保持具は、少なくとも背中を支える背中域支え部４５と、主に足を支える足支え部４６と、前記背中域支え部４５と前記足支え部４６の両方と交差するとともに略水平に保持された略水平支え部４７と、
全体の浮力を調整する機能を有するとともに着脱自在の浮き部材１７を収容する収容部１８を備え、
前記収容部１８を頭部側浮き部３と足側浮き部４の両方に設けたことを特徴とする。
なお、この発明に関しては、略水平支え部４７と同様に、足支え部４６も略水平になるように設定することも可能である。
「前記背中域支え部４５と前記足支え部４６の両方と交差するとともに略水平に保持された略水平支え部４７」における「交差」とは各支え部の延長線が交差する場合を含んでいる。
この構成であれば、着脱自在の浮き部材を収容する収容部を備えているので、使用する各支え部の材質の比重に応じて、入浴用身体浮揚保持具全体の浮力を好ましい値に調整することができる。入浴用身体浮揚保持具を構成する材料の比重の値が一定にならず、バラツク場合や、使用される温泉の湯の比重はそれぞれ異なるが、その両者のバラツキにおける浮力の調整を個別に浮き部材で行うことができ、個々の使用場所で最適な浮力を得ることができる。
また、入浴者の頭側と足側にそれぞれ着脱自在の浮き部材を収容する収容部を備えていることで、安定して入浴者を浮かんだ状態で保持できる。
【００１１】
本考案において、前記収容部１８を湯面に対して開口部１０を下側に備えた下側開口凹部１１で構成し、前記下側開口凹部１１内に前記浮き部材１７を前記開口部１０側から収容して全体の浮力を調整するように構成したことを特徴とする。
この構成であれば、開口部から下側開口凹部内に浮き部材を入れる（収容する）という簡単な処理（動作）で入浴用身体浮揚保持具全体の浮力調整を行うことができるという利点がある。
【００１２】
本考案の入浴用身体浮揚保持具は、少なくとも背中を支える背中域支え部４５と、主に足を支える足支え部４６と、前記背中域支え部４５と前記足支え部４６の両方と交差するとともに略水平に保持された略水平支え部４７とを備え、
前記略水平支え部４７の位置から見て前記背中域支え部４５と前記足支え部４６は下側から上側に行くに従って末広がりになるように配設され、
全体の浮力を調整する機能を有するとともに浮き部材１７を収容する収容部１８を備え、
全体として入浴者１５を横たわった状態で浮かべる状態で保持する浮力を有していることを特徴とする。
この構成であれば、想定する身長の入浴者が入浴用身体浮揚保持具に乗った場合、背中の位置と足の位置が腰の位置よりも高く保持されることなり、浴槽内で浮いた状態で、かつ入浴者を子宮内で浮かんでいるような感じで保持することができ、癒し効果を高めることができる。
また、背中域支え部に対する略水平支え部における入浴者の腰位置を移動させることで、それぞれの入浴者にとって心地良い状態で寝ることができ、身長が異なる入浴者でも身体を子宮内で浮かんでいるような感じで保持することができ、癒し効果を高めることができる。
【００１３】
本考案において、少なくとも一部の表面側の材料が木材で構成されていることを特徴とする。
この構成であれば、木材を使用することで、高級感があり、香りによるリラックス効果が期待できる。
【００１４】
本考案において、前記木材として檜を採用したことを特徴とする。
この構成であれば、檜風呂のような感じをイメージさせて高級感があり、香りも良くリラックス効果が期待できる。また、温泉地やスーパー銭湯などの公衆浴場において、子供のオモチャとは異なる高級感があるので、他人が見ている中で入浴用身体浮揚保持具に乗る抵抗感を低くするとともに、入浴用身体浮揚保持具に乗る楽しみや期待感を増すことができる。
【００１５】
本考案において、前記入浴用身体浮揚保持具１の上面側位置に前記入浴者１５の少なくとも下腹部を隠す遮蔽部材２４が設けられていることを特徴とする。
この構成であれば、温泉地、スーパー銭湯などにおいて採用する場合に他人に入浴者の下腹部が見られることを恥ずかしがり、乗る人が減るということを抑制することができる。
本考案において、前記遮蔽部材２４が少なくとも前記入浴者１５の下腹部を隠す状態と、前記入浴者１５が乗り込みやすい退避状態とを選択自在にする移動型遮蔽部材２５・２６で構成されていることを特徴とする。
移動型の形態としては、後述する回動型とスライド型が例示できる。
この構成であれば、前記遮蔽部材が少なくとも入浴者の下腹部を隠す状態と、入浴者が乗り込みやすい退避状態とを選択自在にする移動型遮蔽部材で構成されているので、前述した固定型の遮蔽部材に比べて、入浴者が入浴用身体浮揚保持具への乗る動作を円滑に行うことができる。
【００１６】
本考案の入浴用身体浮揚保持具用の浴槽は、一人用浴槽３０毎に前記各入浴用身体浮揚保持具１を設けたことを特徴とする。
この構成であれば、一人用浴槽なので浴槽内で入浴用身体浮揚保持具が移動することによる不都合、例えば、入浴用身体浮揚保持具の移動による他の入浴者への衝突等の発生を抑制することができる。
本考案の入浴用身体浮揚保持具用の浴槽は、前記各入浴用身体浮揚保持具１が設けられる浴槽３０に気泡３７を放出する気泡放出装置３５を設けるとともに、前記入浴者１５の背中、腰部、足部の少なくとも一つが位置する箇所の各入浴用身体浮揚保持具１に隙間３６を設け、前記隙間３６から前記気泡放出装置３５からの気泡３７が噴出するように構成したことを特徴とする。
なお、この発明は一人用浴槽だけでなく、複数の人が入る浴槽にも適用できる。
この構成であれば、入浴用身体浮揚保持具に身体を横たえた入浴者に対して気泡が噴出すると、癒し効果、マッサージ効果を高めることができる。また、気泡が噴出することによって入浴用身体浮揚保持具の表面が自然に洗われるので、他人の肌が触った入浴用身体浮揚保持具の表面に自分が触るという潔癖症的な入浴者の嫌悪感を抑制して、清潔感を高めることができる。結果として、入浴用身体浮揚保持具に乗る入浴者の数を増やすことができる。
【考案の効果】
【００１７】
以上説明したように、本考案であれば、身長、体重の異なる入浴者でも湯船内で非常にプカプカ漂うような感じになり、リラックスした状態で入浴できる入浴用身体浮揚保持具及び浴槽を提供できた。また、温泉地や公衆浴場において、入浴者に高級感を伴った入浴や楽しい感じを抱かせるとともに、普段とは異なる変わった風呂に入りたいという入浴者の要望に答える入浴用身体浮揚保持具及び浴槽を提供できた。さらに、温泉地、スーパー銭湯などにおいて採用する場合に入浴者の下腹部が見られるという課題を解決できる入浴用身体浮揚保持具及び浴槽を提供できた。
【図面の簡単な説明】
【００１８】
【図１】（ａ）は本考案の第１実施形態を示す入浴用身体浮揚保持具の平面図、（ｂ）はその側面図である。
【図２】本考案の第１実施形態に係る収容部の一例を示す入浴用身体浮揚保持具の部分拡大縦断面図である。
【図３】（ａ）（ｂ）はそれぞれ本考案の第２実施形態を示す回動型の遮蔽部材を説明するための図であり、（ａ）は頭側から見た図、（ｂ）は平面図である。
【図４】（ａ）（ｂ）はそれぞれ本考案の第２実施形態を示すスライド型の遮蔽部材を説明するための図であり、（ａ）は平面図、（ｂ）は部分縦断面図である。
【図５】本考案の第３実施形態に係る入浴用身体浮揚保持具を備えた風呂室の概略平面図である。
【図６】第３実施形態に係る一人用浴槽の一例を示す概略平面図である。
【図７】本考案の第４実施形態に係る入浴用身体浮揚保持具を備えた浴槽を縦断面で示した模式構成図である。
【図８】本考案の第４実施形態に係る入浴用身体浮揚保持具の隙間の一例を説明するための図である。
【考案を実施するための形態】
【００１９】
以下、本考案の実施の形態を図面に基づき説明する。
［第１実施形態］
図１に示すように、本実施形態に係る入浴用身体浮揚保持具１は、大別すると頭部側浮き部３と、足側浮き部４と、入浴者保持部５とを備えている。
頭部側浮き部３、足側浮き部４及び入浴者保持部５は木材などで構成される板部２等で構成されている。板部２は好ましくは比重が１．０未満のものを使用している。なお、本明細書において、板部２とは、縦断面が長方形状の板材のみならず、縦断面が立方体又は直方体のような各種材料も含む概念で用いている。
なお、入浴用身体浮揚保持具１を合成樹脂等の材料を用いて一体成形によって製造する方法を除外するものではない。
【００２０】
入浴者保持部５は、頭部側浮き部３と足側浮き部４との間を掛け渡すように設けられる。具体的には、入浴者保持部５は、入浴者１５の少なくとも背中を支える背中域支え部４５と、主に足部を支える足支え部４６と、背中域支え部４５と足支え部４６との間を掛け渡すように設けられた略水平支え部４７とを有している。略水平とは湯面が形成する水平面に対して略水平という意味である。
【００２１】
ここで、背中域支え部４５、略水平支え部４７及び足支え部４６は入浴者１５を寝た状態で保持できることが必要であるから、背中域支え部４５と略水平支え部４７の為す角度θ、略水平支え部４７と足支え部４６の為す角度φはそれぞれ鈍角（９０゜（degree）よりも大きい角度）になる。角度θ，φは、１００°以上で交差することが好ましいが、この値は特定されるものではない。
これらの角度で交差することによって、入浴者１５は入浴用身体浮揚保持具１に楽にほぼ寝た状態で保持されている状態となり、リラックス状態を維持することができる。
また、このように構成することで、図１（ｂ）に示すように略水平支え部４７の位置から見て背中域支え部４５と足支え部４６が下側から上側に行くに従って末広がりになるように構成してある。
【００２２】
さらに、他の特徴として、入浴用身体浮揚保持具１が複数の部材に分解できるように構成されている点がある。
図１に示す構成では背中域支え部４５と略水平支え部４７の間、略水平支え部４７と足支え部４６の間にそれぞれのボルトなどの着脱自在具４８を備えている。
着脱自在具４８は、ボルト、ナットの組合せのみならず、着脱自在の嵌合構造などの構成が採用できる。着脱自在具４８を解除することによって、入浴用身体浮揚保持具１を複数のエレメントに分割して、持ち運び、使用しない時の収納が簡単に行える利点がある。また、入浴用身体浮揚保持具１の表面、裏面の洗浄作業において効率的に作業を行うことができる。
【００２３】
また、頭部側浮き部３には、入浴者の頭部を支える枕部７が設けられ、その枕部７に入浴者１５が頭を位置させた場合に心地良く寝る状態になるように背中域支え部４５の傾斜角度θが設定してある。その傾斜角度θは水平線に対して好ましくは１１０〜１６０゜程度である。傾斜角度φは好ましくは１３０゜〜１７０゜程度である。
また、各板部２の一部に檜材を用いて、入浴用身体浮揚保持具１を外観から見たときに、豪華な檜風呂をイメージさせるように構成してある。そのために、必要に応じて、背中域支え部４５と足支え部４６には入浴用身体浮揚保持具１を外観から見たときに、豪華な檜風呂をイメージさせるような飾り部（図示せず）が設けることもできる。
【００２４】
図２に示すように、本実施形態に係る入浴用身体浮揚保持具１は、入浴用身体浮揚保持具１の全体の浮力を高める浮き部材１７を収容する収容部１８を備えていることを特徴とする。
浮き部材１７は各種の形態が考えられるが、入浴用身体浮揚保持具１の所定な箇所にペットボトル１９、発泡スチロール部材１３などを収容する構成が例示できる。
図２に示す形態では、頭部側浮き部３と足側浮き部４の両方に浮き部材１７を装着できる収容部１８が形成された場合が示してある。図２において足側浮き部４は示していないが、頭部側浮き部３に形成された収容部１８（下側開口凹部１１）を同様に構成してある。
【００２５】
収容部１８の構成としては、湯面に対して開口部１０を下側に備えた下側開口凹部１１で構成してある。そして、下側開口凹部１１内に浮き部材１７を開口部１０側から収容して全体の浮力を増すように構成してある。
図２で示す形態では下側開口凹部１１内に発泡スチロール部材１３やペットボトル１９を収容するだけで、入浴者を乗せた入浴用身体浮揚保持具１の沈み込みに対して、浮力を与えることができる。これは、入浴用身体浮揚保持具１に入浴者が乗ることによって湯面から沈み込む状態では発泡スチロール部材１３、ペットボトル１９などが下側開口凹部１１内に拘束され、入浴用身体浮揚保持具１の浮力を高めることができるからである。
その他の構成としては、浮き部材１７を収容部１８内に着脱自在に固定する凹部を設けても良い。
【００２６】
また、浮き部材１７は、入浴者１５が寝ると想定される人体の前後方向（背骨方向）又は左右方向に対称形に一対の収容部１８を配設して、入浴用身体浮揚保持具１の前後方向（身長方向）、左右方向（横方向）の安定性を向上することもできる。図１及び図２に示す構成では、人体の前後方向に対称に一対の浮き部３・４を設けた構成になっている。
この構成であれば、下側開口凹部１１内に浮き部材１７を収容するという極めて簡単な操作で、必要な浮力を調整することができる。また、下側開口凹部１１内に浮き部材１７を収容する構成であれば、浮き部材１７は入浴用身体浮揚保持具１の外観上において見えない構成になるので、外観を向上させる上で好ましい。
【００２７】
［第２実施形態］
図３及び図４に示すように、本実施形態に係る入浴用身体浮揚保持具１は、入浴用身体浮揚保持具１の上面側位置に入浴者の少なくとも下腹部を隠す開閉自在の遮蔽部材２４が設けられていることを特徴とする。
また、本実施形態では遮蔽部材２４が移動して、入浴者の下腹部を覆う位置と、入浴用身体浮揚保持具１に乗り込めるように開いた位置とを選択できるように構成されている。
【００２８】
そのような形態として、本実施形態では、入浴用身体浮揚保持具１の横側又は縦側に回動軸部２８を備えて開閉する回動型遮蔽部材２５（図３参照）と、入浴用身体浮揚保持具１、又は入浴用身体浮揚保持具１が浮かべられる浴槽３０に対して略平行にスライド動作するスライド型遮蔽部材２６（図４参照）を提案している。
即ち、図３に示す回動型遮蔽部材２５は、入浴者（図示せず）に対して左右方向である横側位置の板部１又浴槽３０の上面２７側に回動軸部２８設け、その回動軸部２８に連設された半円形、四角形形のような遮蔽材４３を設けている。そして、図３（ａ）に示すように、遮蔽材４３を想像線で示す開いた状態で入浴用身体浮揚保持具１に乗り、寝た後に図３（ｂ）に示すように遮蔽材４３を実線で示す閉じた状態にする。
図４では、スライド型遮蔽部材２６として、横側位置の板部１又は浴槽３０の上面２７側に左右一対のレール４１を設け、そのレール４１上を走る一対のローラ４２上に掛け渡された遮蔽材４３を有している構成が一例として示してある。
【００２９】
［第３実施形態］
図５に示すように、本実施形態に係る入浴用身体浮揚保持具１は、一人用浴槽３０が多数並列的に設けられた家庭の風呂室２１や、温泉地の風呂室３１又はスーパー銭湯のような公衆浴場に設けられる風呂室３１に使用されるものであって、一人用浴槽３０毎に檜風呂に見える入浴用身体浮揚保持具１を取り付けたことを特徴とするものである。
図６に示すように、各一人用浴槽３０にはその浴槽の縦横比率に合致した入浴用身体浮揚保持具１が設けられ、その入浴用身体浮揚保持具１は浴槽３０内の湯によって浮いた状態に維持されている。
【００３０】
この場合、温泉地の風呂室３１又は公衆浴場に設けられる風呂室３１では、前記した下腹部を隠す開閉自在の遮蔽部材を本実施形態の入浴用身体浮揚保持具１にも採用することが好ましい。
また、入浴者１５から考えると、一人用浴槽３０内では入浴用身体浮揚保持具１の左右方向、前後方向の移動は少ないので、入浴用身体浮揚保持具１に乗ることの不安感は薄れる。さらに、入浴用身体浮揚保持具１を檜風呂のような感じを抱かせる外観にすることによって、入浴者１５は檜風呂に入るような感じで、通常の檜風呂では味わえない浮揚感、リラックス感を味わうことができて、その風呂室３１を有する温泉地やスーパー銭湯の集客能力を高めることができる。
【００３１】
［第４実施形態］
図７及び図８に示すように、本実施形態に係る入浴用身体浮揚保持具１は、入浴用身体浮揚保持具１が設けられる浴槽３４に気泡３７を放出する気泡放出装置３５を設けるとともに、入浴者の背中、尻部、足部の少なくとも一つが当接する表面に隙間３６を設け、隙間３６（図８参照）から気泡３７が出るように構成したことを特徴とする。
気泡３７を放出する気泡放出装置３５は水流３９を伴ったものでもよい。また、気泡３７を放出する気泡放出装置３５は浴槽３４の底壁３４ａに設ける形態が一般的であるが、図７に示すように浴槽３４の内側壁３４ｂに設けられた構成も採用できる。
【００３２】
入浴用身体浮揚保持具１に設けられる隙間３６の形状及び数は各種採用でき、特に限定されない。また、入浴用身体浮揚保持具１において、身体が存在する領域は隙間３６の配置を多くして、身体が存在しない領域は隙間３６の配置を少なくすることが好ましい。
さらに、浴槽３４内の気泡放出装置３５の気泡３７を入浴者が寝ている領域に導く気泡ガイド部材３８を設けて、入浴者の表面に噴出する気泡３７の数を多くして、気泡３７によるマッサージ効果を高めるように構成することもできる。図７に示す構成では、収容部の開口部１０に気泡３７が噴出することを避けて、湯面下に位置する背中域支え部４５、略水平支え部４７、及び足支え部４６の隙間３６から気泡３７が身体に向けて噴出するように構成してある。
【００３３】
板状又は角材状の檜材を用いて入浴用身体浮揚保持具１を構成する場合には、入浴者が寝る背骨方向又は背骨方向と略直交する方向に複数の檜材に隙間３６を形成するように板部２を隔離して配設固定して、隙間３６から気泡３７が漏れ出る構成を採用することが好ましい。
この構成であれば、入浴者が寝る背骨方向又は背骨方向と略直交する方向に複数の檜材等の隙間３６を有するように隔離して配設固定という簡単な方法で、気泡３７による芳香拡散効果、マッサージ効果を有する入浴者にとって魅力的な風呂を提供できる。
【００３４】
本考案は上記実施形態以外にも本考案の要旨を変更しない範囲で種々の変形を行うことが可能である。
（１）前記実施形態では檜材を利用して入浴用身体浮揚保持具１を構成したが、必要によってその他の部材、他の香りの良い木材等を用いて入浴用身体浮揚保持具１を製造することもできる。また、檜ＦＲＰ複合部材を入浴用身体浮揚保持具１の一部又は全部として使用することも可能である。
（２）入浴用身体浮揚保持具１の一部だけに檜材を使用することもできる。例えば、入浴者が接する入浴用身体浮揚保持具１の表面部分のみに檜材を用いることも可能である。
【００３５】
（３）本実施形態に係る入浴用身体浮揚保持具１は、図６に示すように入浴者１５の外周に存在する枠体１４を設け、その枠体１４に背中域支え部４５、略水平支え部４７及び足支え部４６を固定することもできる。
入浴者１５の外側に枠体１４を設ける構成としては、四角形、楕円形、円形などの形状が採用できる。枠体１４があることによって入浴者１５が入浴用身体浮揚保持具１から落ちるような不安感を除くこともできる。
（４）前記実施形態では矩形状の入浴用身体浮揚保持具１を例示したが、必要に応じて身体の長さ方向に縦長ないろいろな形状に構成することができる。
（５）図１に示す構成では収容部１８を頭部と足側に設けた場合を一例として示したが、請求項３に係る構成では人が寝た場合に左右位置に対応する部分や、板部の下側位置に着脱自在に収容することもできる。
（６）檜オイルを浴槽内に供給する檜オイル供給装置を入浴用身体浮揚保持具１又は浴槽３０に設けることもできる。
【符号の説明】
【００３６】
１…入浴用身体浮揚保持具
３…頭部側浮き部
４…足側浮き部
５…入浴者保持部
１０…開口部
１１…下側開口凹部（収容部）
１５…入浴者
１７…浮き部材
１８…収容部
２４…遮蔽部材
２５…回動型遮蔽部材（移動型遮蔽部材）
２６…スライド型遮蔽部材（移動型遮蔽部材）
３０…一人用浴槽
３５…気泡放出装置
３６…隙間
３７…気泡
４５…背中域支え部
４６…足支え部
４７…略水平支え部
【図１】
0003190521.tif 000003
【図２】
0003190521.tif 000004
【図３】
0003190521.tif 000005
【図４】
0003190521.tif 000006
【図５】
0003190521.tif 000007
【図６】
0003190521.tif 000008
【図７】
0003190521.tif 000009
【図８】
0003190521.tif 000010